(57)【特許請求の範囲】
【請求項１】
レーザビームの波長域で干渉の起りやすい画像記録材料上に画像とデータを露光する画像露光部を備える画像形成装置において、
前記画像露光部のレーザ光源のスペクトル幅Δλが、以下の式
Δλ＝λ2／（λ＋４ｎｔ／ｃｏｓθ）
（但しθ：法線に対する乳剤層内での光線の進行方向角度、ｎ：乳剤層の屈折率、ｔ：乳剤層の厚み、λ：レーザ光源の中心波長）
より大きく設定されていることを特徴とする画像形成装置。
【発明の詳細な説明】
【０００１】
【発明の属する技術分野】
本発明は、レーザー露光により画像を記録される感光材料を使用する画像形成装置に関する。
【０００２】
【従来の技術】
ディジタルラジオグラフィーシステム、ＣＴ，ＭＲなどの医療用の画像を記録する画像記録装置として、従来、銀塩写真式感光材料に撮影または記録後、湿式処理して再現画像を得るウエットシステムが用いられている。
これに対して、近年、湿式処理を含まないドライシステムによる記録装置が注目されている。このような記録装置としては、例えば、熱現像感光材料のフィルム（以下“記録フィルム”という）を用いた画像記録装置がある。
【０００３】
このドライシステムの画像記録装置においても、画像記録を行う場合には、記録フィルムにレーザ光を照射すること（露光）によって、記録フィルムに潜像を形成する。そして、この潜像が形成された記録フィルムを加熱することで該潜像を現像する。露光は、別途撮影した画像データに従ってレーザの出力を制御しつつ、該レーザを走査（主走査）させることで行うのが一般的である。当然、このときには、記録フィルムも所定の方向に移動（副走査）させる。
なお、このような熱現像感光材料対する画像記録装置に関しては、例えば、国際公開番号ＷＯ９５／３１７５４号の公報、国際公開番号ＷＯ９５／３０９３４号の公報に記載の物が挙げられる。
【０００４】
このような画像記録装置における従来の露光部１６の概念図を図２に示している。露光ユニットは、画像信号に応じて変調した光ビームＬを主走査方向（図２の方向ｂ）に偏向して、所定の記録位置Ｘに入射する公知の光ビーム走査装置であって、記録材料Ａの分光感度特性に応じた狭帯波長域の光ビームＬを射出するレーザ光源５０と、光源５０を駆勤する記録制御装置（ドライバ）５２と、通常のミラー５３と、光偏向器であるポリゴンミラー５４と、ｆθレンズ５６と、立ち下げ用のシリンドリカルミラー５８とを備えている。
【０００５】
なお、露光ユニットには、これ以外にも、光源から射出された光ビームＬを整形するコリメータレンズやビームエキスパンダ、面倒れ補正光学系、光路調整用ミラー等、公知の光ビーム走査装置に配置される各種光学系部材が必要に応じて配置される。
【０００６】
ここで、露光方式としてはパルス幅変調によって画像記録を行うことが一般的である。記録制御装置（ドライバ）５２は、記録画像に応じてレーザ光源５０をパルス幅変調して駆動し、記録画像に応じてパルス幅変調された光ビームＬを射出させる。光源５０から射出された光ビームＬは、ポリゴンミラー５４によって主走査方向に偏向され、ｆθレンズ５６によって記録位置Ｘで結像するように調光され、シリンドリカルミラー５８によって光路を変更されて記録材料Ａの記録位置Ｘに垂直に近い角度で入射する。
【０００７】
一方、副走査搬送手段は、記録位置Ｘ（走査線）を挟んで配置される一対の搬送口一ラ対６０，６２を有するものであり、搬送ローラ対６０，６２によって、記録材料Ａを記録位置Ｘに保持しつつ、前記主走査方向と直交する副走査方向（図７中矢印ａ方向）に搬送する。
ここで、前述のように、記録画像に応じてパルス幅変調された光ビームＬは、主走査方向に偏向されているので、記録材料Ａは光ビームによって２次元的に走査露光され、潜像が記録される。
【０００８】
【発明が解決しようとする課題】
上記の画像形成装置に用いられる記録材料Ａは、例えば、熱現像感光材料は、具体的には図４に示すように、ＰＥＴ材などからなる厚さ百数十μｍのベースフィルム上に厚み数μｍ〜数十μｍ程度の乳剤層Ｅｍ，及びその表面に保護層ＰＣをコートしたものであり、またベースフィルムの背面にバックコート層ＢＣ及びハレーション防止層ＡＨをコーティングしたものである。そして、通常の感光性フィルム材料の層構造に比べて、医療用に用いられている物の場合に、特に高い鮮鋭度に設計されているため、各層は薄く、また乳剤層Ｅｍは細粒化され、層自体が透明となって光が直進しやすい。
【０００９】
一方、この記録材料Ａに入射するレーザビームのビーム径は５０〜１２０μｍであり、各層の境界面の反射に際し、各層は同一ビーム径内で２度の反射による干渉となるほどに十分薄く、特に図の一部に拡大して示すように、乳剤層Ｅｍ内での干渉が著しい。
この結果、得られる画像には干渉縞と呼ばれる濃度ムラが生ずるため、画像診断上支障になる上、商品性を損なうという問題があった。
【００１０】
以上の干渉縞の発生を防止するための従来の工夫としては、例えば特開平５−１１３５４８号公報では、レーザ光の入射角度を斜めに寝かして反射角を広く且つ光路長を長くとることで、反射光が入射光と同一方向に進む場合に重ならないようにして干渉を防止する対策をとっているが、乳剤層、ベース層が前述のように薄いと干渉の発生は不可避となっていた。
【００１１】
また、特開平７−２５３５５４号公報に示すように、１／４λ板を光路中に配置して円偏光を利用する方法は効果が低く、また特開昭６０−１４５６７号公報に示すような高周波重畳利用の場合には、レーザダイオードの出力を定格出力の１／２までしか使えないなどの欠点があった。
【００１２】
この発明は、以上の問題を解決するものであって、その目的は、以上のようなレーザビームの波長域で干渉の起りやすい材料上に画像記録するに際し、レーザ光源スペクトル幅と記録材料の乳剤層厚みとのマッチングをとることによって、干渉縞の発生を極力防止し、非視認化することにより、より鮮明で診断性に優れた画像を得るようにした画像形成装置を提供するものである。
【００１３】
【課題を解決するための手段】
以上の目的を達成するため、本発明は、レーザビームの波長域で干渉の起りやすい画像記録材料上に画像とデータを露光する画像露光部を備える画像形成装置において、
前記画像露光部のレーザ光源のスペクトル幅Δλが、以下の式
式：Δλ＝λ2／（λ＋４ｎｔ／ｃｏｓθ）、（但しθ：法線に対する乳剤層内での光線の進行方向角度、ｎ：乳剤層の屈折率、ｔ：乳剤層の厚み、λ：レーザ光源の中心波長）より大きく設定される構成となっている。
【００１４】
より詳しくは、前記ｔが１０〜３０μｍ、ｎが１．４〜２．０である場合に、レーザ光源の中心波長λが６３３〜８３０ｎｍに設定されるものである。
つまり、本発明ではレーザビームの反射光のスペクトル成分の位相が相対的に概略半波長ずれることにより、互いに強さを相殺し合うことを利用したもので、以下に述べる理論根拠によっている。
【００１５】
まず図４に示すように、波長λのレーザビームが屈折率ｎ，厚さｔの層に所定の角度θで入射した場合の乳剤層を往復する光路長Ｌ及び節Ｎは、次の式で表される。
光路長：Ｌ＝２ｎｔ／ｃｏｓθ
節の数：Ｎ＝Ｌ／λ
異なる波長λ’：（λ−Δλ）（Δλ：スペクトル幅）
（λ’は上述のように半波長との相殺が見込め、且つ、λのスペクトル幅範囲にある波長）
節の数がＮ＋１／２となると、図３、図４に示す出光位置（１）の点で弱めあうことになり、干渉縞の発生がなくなることになる。
Ｌ／λ’＝Ｌ／（λ−Δλ）＝Ｌ／λ＋１／２
またこのことより、
Δλ＝λ2／（λ＋２Ｌ）＝λ2／（λ＋４ｎｔ／ｃｏｓθ）
【００１６】
従って、以上の式で計算されるΔλよりレーザ光源のスペクトル幅が広ければ干渉縞の発生を抑制することになる。
そして、記録材料の中の乳剤層の厚みｔ、屈折率ｎは既知であるから、製作された導体レーザのスペクトル幅を予め測定し、この条件を満たす半導体レーザを選んで光源にアッセンブリすればよいものとなる。
【００１７】
【発明の実施の形態】
以下、本発明の好ましい実施の形態につき、添付図面を参照して詳細に説明する。
図１に、本発明の実施形態であるドライシステムの画像形成装置の概略図を示す。図において、画像形成装置１０は、湿式の現像処理を必要としない、熱現像感光材料または感光感熱記録材料（以下、記録材料Ａとする）を用い、レーザ光からなる光ビームＬによる走査露光により記録材料Ａを像様露光して潜像を形成した後に熱現像を行って可視像を得る装置である。この画像形成装置１０は、基本的に、記録材料Ａの搬送方向順に、記録材料供給部１２と、幅寄せ部１４と、画像露光部１６と、熱現像部１８とを備えている。
【００１８】
供給部１２は二段となっていて、それぞれの内部２２，２４にマガジン１００を介して各段に装填された記録材料Ａは、例えばＢ４版、及びＡ４版などに形成され、切替えによりいずれかを選択できるようにしている。
また記録材料Ａとしては、熱現像感光材料が用いられる。熱現像感光材料は、従来では１本のレーザビームによって画像を記録（露光）し、その後熱現像して発色させる記録材料であり、シート状の記録材料Ａとして、通常、１００枚等の所定単位の積層体（枚葉紙束）とされ、袋体や帯等で包装されることによりパッケージ８０化されている。
【００１９】
このパッケージ８０はそれぞれの版に応じたマガジン１００に収容されて画像形成装置１０の供給部１２に装填される。
そして、装置のスイッチオンにより、以下の一連の処理動作が実行される。
まず、マガジン１００の蓋が開いている状態で枚葉機構の吸盤２６，２８により選択されたマガジン１００の記録材料Ａは上部から一枚取出される。
【００２０】
取出された記録材料Ａは、搬送方向の下流に位置する供給ローラ対３０，３２、搬送ローラ対３４，３６、搬送ガイド３８，４０，４２に案内されつつ、その下流の幅寄せ部１４に搬送される。
幅寄せ部１４は、記録材料Ａを、搬送方向と直交する方向（以下、輻方向とする）に位置合わせすることにより、下流の画像露光部１６における主走査方向の記録材料Ａの位置合わせ、いわゆるサイドレジストを取って、搬送ローラ対４４によって記録材料Ａを下流の画像露光部１６に搬送する部位である。
【００２１】
またその下流の画像露光部１６（以下、露光部１６とする）は、光ビーム走査露光によって記録材料Ａを像様に露光する部位であり、露光ユニット４６と副走査搬送手段４８とを備えている。露光部１６については、詳しく後述する。
露光部１６において潜像を記録された記録材料Ａは、次いで、搬送ローラ対６４，６６等によって搬送されて、熱現像部１８に搬送される。
【００２２】
熱現像部１８は、記録材料Ａを加熱することにより、熱現像を行って潜像を可視像とする部位で、加熱ドラム６８と、エンドレスベルト７０と、剥離爪７２とを備えている。
加熱ドラム６８は、ハロゲンランプ等の加熱用光源やヒータ等の熱源を内蔵するドラムで、その表面が記録材料Ａの熱現像温度に応じた温度に加熱・保持されており、また、軸６８ａを中心に回転してエンドレスベルト７０と共に記録材料Ａを挟持搬送する。
【００２３】
エンドレスべルト７０は、ローラ７４ａ，７４ｂ，７４ｃ，７４ｄの４つのローラに張架されて、加熱ドラム６８に巻き掛けられるようにして押圧されている。
剥離爪７２は、記録材料Ａを加熱ドラム６８から剥離するものであり、加熱ドラム６８による記録材料Ａの搬送に対応して、加熱ドラム６８に軽く当接、離脱するように構成される。
【００２４】
搬送ローラ対６６によって熱現像部１８に搬入された記録材料Ａは、工ンドレスベルト７０と、ローラ７６、７８とによって揆持搬送されて、加熱ドラム６８と工ンドレスベルト７０との間に搬入され、加熱ドラム６８の回転に応じて搬送されつつ、加熱ドラム６８によって熱現像されて、露光によって記録された潜像が可視像となる。
【００２５】
記録材料Ａの先端が剥離爪７２の近傍に搬送されると、剥離爪７２が軽く加熱ドラム６８に当接して、加熱ドラム６８と記録材料Ａとの間に侵入し、記録材料Ａを加熱ドラム６８から剥離し、剥離爪７２によって加熱ドラム６８から剥離された記録材料Ａは、装置外に搬送されてトレイ８０に排出される。
【００２６】
図２は本発明を適用した画像露光部１６を示している。なお、図において、図１と同一箇所には同一符号を付し、説明を付加する箇所にのみ新たな符号を用いて説明する。
図において、画像露光部１６は、レーザビームＬ０を出力する半導体レーザ５０ａ，レーザビームを平行光束とするコリメータレンズ５０ｂ，シリンドリカルレンズ５０ｃとからなるレーザ光源５０を備えている。
【００２７】
レーザ光源５０は、反射ミラー５２を通じてポリゴンミラー５４に入光し、これの回転に伴いレーザビームは偏光されつつｆθレンズ５６及びシリンドリカルミラー５８を介して主走査方向ｂに沿って照射される。
そして、画像信号の入力を受けて、図示しない制御部によりドライバ５２を駆動し、ポリゴンミラー５４及びローラ対６０に設けた送りモータＭを回転駆動制御してレーザビームを記録材料Ａの主走査方向ｂに走査しつつ記録材料Ａを副走査方向ａに送る。
以上により、記録材料Ａは送りモータＭの送りによる副走査方向に順次送られながら、その表面に主走査方向に沿って所定の輪郭線の潜像を順次形成することになる。
【００２８】
ここで、レーザ光源５０を構成する半導体レーザ５０ａから出光するスペクトル幅は以下の式で示されるスペクトル幅Δλ以上に設定される。
Δλ＝λ2 ／ （λ＋２Ｌ）＝λ2 ／（λ＋４ｎｔ／ｃｏｓθ）
なお、Ｌは乳剤層内での光路長、ｔは乳剤層の厚み、ｎはその屈折率、λは半導体レーザ５０ａの波長である。
【００２９】
従って、この発明による画像形成装置にあっては、乳剤層Ｅｍが薄いことによるレーザビームの層内での反射に伴う干渉縞の発生が抑制され、はっきりとした輪郭により記録材料Ａの表面に潜像を形成できることになる。
なお、実際に用いる各半導体レーザ５０ａの選択は、製造された半導体レーザのロット中の各半導体レーザのスペクトル幅を検査し、その中から前記Δλ以上のスペクトル幅特性を備えた半導体レーザを選択し、これを図示のごとき光学的配置とすればよい。
【００３０】
【実施例】
次に本発明の実施例を説明する。但し本発明は以下の実施例のみに限定されるものではない。
［実施例］
乳剤層の厚みｔ＝１１．５μｍ、屈折率ｎ＝１．７８の記録材料を用い、この記録材料に対して垂直に入射し、また半導体レーザの中心波長λ＝６６０ｎｍとした場合において、Δλの値を前記式に代入することで、Δλ＞５．２８ｎｍを得られた。
この条件を満足するスペクトル幅のレーザビームを出力する半導体レーザを選択し、これを図２に示すごとき光学的配置に組立てて両ビームを重畳して記録材料に照射し、乾式現像を実施した。
【００３１】
［比較例］
Δλ＜５．２８ｎｍのスペクトル幅の半導体レーザを使用した以外は実施例と全く同一の条件で乾式現像を実施した。
両者に焼付けられた画像サンプルを比較したところ実施例では干渉縞がほぼ視認されないレベルになったが、比較例では干渉縞が見られ、本発明による効果を確認した。
【００３２】
ここで、レーザビームの反射による干渉縞が発生しやすいのは、その感度向上のために、写真感光材料のＡｇＸ粒子が小さく（平均０．２μｍ以下）、写真感光材料の塗布銀量が少なく（３ｇ／ｍ２以下）、写真感光材料の乳剤層の吸光度が小さい（レーザ波長で０．５以下）ものであり、前記記録材料Ａはいずれもその条件に適合してしまうからである。
【００３３】
以下に、本発明の実施例に使用する画像記録材料の例で、特願平９−１８５７２４号に記載の材料を説明する。
（有機銀分散物の調製）
ベヘン酸４０ｇ、ステアリン酸７．３ｇ、水５００ｍｌを温度９０℃で１５分間攪拌し、１Ｎの水酸化ナトリウム１８７ｍｌを１５分間かけて添加し、１Ｎの硝酸水溶液６１ｍｌを添加して５０℃に降温した。次に１Ｎの硝酸銀水溶液１２４ｍｌを２分間かけて添加し、そのまま３０分間攪拌した。その後、吸引濾過で固形分を濾別し、濾水の伝導度３０μS/cmになるまで固形分を水洗した。こうして得られた固形分は、乾燥させないでウエットケーキとして取り扱い、乾燥固形分１００ｇ相当のウエットケーキに対し、ポリビニルアルコール（商品名：ＰＶＡー２０５）１０ｇおよび水を添加し、全体重量を５００ｇとしてホモミキサーにて予備分散した。
【００３４】
次に、予備分散済の原液を分散機（商品名：マイクロフルイダイザーＭ−１１０Ｓ−ＥＨ：マイクロフルイデックス・インターナショナル・コーポレイション製、Ｇ１０Ｚインタラクションチャンバー使用）の圧力を１７５０kg/ cm2  に調節して、３回処理し、体積加重平均直径０．３９μｍの有機銀微結晶分散物の調製を終了した。なお、粒子サイズの測定は、Malvern Instruments Ltd.製Master Sizer Xにて行った。
【００３５】
（ハロゲン化銀粒子の調製）
水７００ｍｌにフタル化ゼラチン２２ｇおよび臭化カリウム３０ｍｇを溶解して温度４０℃にてｐＨを５．０に合わせた後、硝酸銀１８．６ｇを含む水溶液１５９ｍｌと臭化カリウム水溶液をpAg ７．７に保ちながらコントロールドダブルジェット法で１０分間かけて添加した。次いで硝酸銀５５．４ｇを含む水溶液４７６ｍｌと六塩化イリジウム酸二カリウムを８μmol/l と臭化カリウムを１mol/l を含む水溶液をpAg 7.7 に保ちながらコントロールドダブルジェット法で３０分かけて添加した。その後、ｐＨを下げて凝集沈降させ脱塩処理をし、フェノキシエタノール０．１ｇを加え、ｐＨ５．９、pAg ８．０に調整した。得られた粒子は平均粒子サイズ０．０７μｍ、投影面積直径の変動係数８％、（１００）面比率８６％の立方体粒子であった。
【００３６】
上記調製したハロゲン化銀粒子に対し温度を６０℃に昇温して、銀１mol 当たりチオ硫酸ナトリウム８５μmol と２，３，４，５，６−ペンタフルオロフェニルジフェニルフォスフィンセレニドを１１μmol 、２μmol の下記テルル化合物１、塩化金酸３．３μmol 、チオシアン酸２３０μmol を添加し、１２０分間熟成した。
その後、温度を４０℃に変更して下記増感色素Ａをハロゲン化銀に対して３．５×１０−４mol を攪拌しながら添加し、５分後に下記化合物Ａをハロゲン化銀に対して４．６×１０−３mol 添加し、５分間攪拌後、２５℃に急冷してハロゲン化銀粒子の調製を行った。
【００３７】
【化１】
0003770433.tif 000002
【００３８】
【化２】
0003770433.tif 000003
【００３９】
【化３】
0003770433.tif 000004
【００４０】
（素材固体微粒子分散液の調製）
テトラクロロフタル酸、１，１−ビス（２−ヒドロキシ−３，５−ジメチルフェニル）−３，５，５−トリメチルヘキサン、トリブロモメチルフェニルスルホンについて固体微粒子分散物を調製した。
テトラクロロフタル酸に対し、ヒドロキシプロピルメチルセルロース０．８１ｇと水９４．２ｍｌを添加して良く攪拌してスラリーとして１０時間放置した。その後、平均直径０．５ｍｍのジルコニア製ビーズを１００ｍｌ用意し、スラリーと一緒にベッセルに入れ、分散機（１／４Ｇサンドグラインダーミル：アイメックス(株)製）で５時間分散してテトラクロロフタル酸の固体微粒子分散液を得た。粒子径は７０wt％が１．０μｍ以下であった。その他の素材については適宜分散剤の使用量、および所望の平均粒子径を得るために分散時間を変更し、それぞれの素材についての固体微粒子分散液を得た。
【００４１】
（染料を含有するポリマー微粒子分散物の調製）
下記染料Ａ（２ｇ）、メチルメタクリレート−メタクリル酸共重合体（８５：１５）（６ｇ）、および酢酸エチル４０ｍｌからなる溶液を６０℃に加温、溶解した後、ポリビニルアルコール５ｇを含む水溶液１００ｍｌに加え、高速攪拌機（ホモジナイザー、日本精機製作所製）にて１２０００ｒｐｍ、５分間、微細分散して平均粒径０．３μｍのポリマー微粒子乳化分散物Ｐを得た。
【００４２】
【化４】
0003770433.tif 000005
【００４３】
（乳剤層塗布液の調製）
先に調製した有機銀微結晶分散物（銀１mol 相当）に対し、ハロゲン化銀粒子をハロゲン化銀１０mol ％／有機酸銀相当と、以下のバインダーおよび現像用素材を添加して乳剤塗布液とした。
バインダー：
ラックスター3307B （大日本インキ化学工業(株)製；SBR ラテックス）４３０ｇ
現像用素材：
テトラクロロフタル酸、５ｇ相当の上記分散物
１，１−ビス（２−ヒドロキシ−３，５−ジメチルフェニル）−３，５，５−トリメチルヘキサン、９８ｇ相当の上記分散物
フタラジン、９．２ｇ
トリプロモメチルフェニルスルホン、１２ｇ相当の上記分散物
４−メチルフタル酸、７ｇ
染料：
上記染料Ａ、４ｇ相当の上記染料含有ポリマー微粒子分散物
【００４４】
上記において用いたラックスター3307B は、スチレン−ブタジエン系コポリマーのポリマーラテックスであり、分散粒子の平均粒径は、０．１μｍ〜０．１５μｍ程度である。
【００４５】
（乳剤面保護層塗布液の調製）
イナートゼラチン１０ｇに対し、界面活性剤Ａを０．２６ｇ、界面活性剤Ｂを０．０９ｇ、シリカ微粒子（平均粒径２．５μｍ）０．９ｇ、１，２−（ビスビニルスルホニルアセトアミド）エタン０．３ｇ、水６４ｇを添加して乳剤面保護層塗布液とした。
【００４６】
【化５】
0003770433.tif 000006
【００４７】
（染料分散物の調製）
酢酸エチル３５ｇに対し、下記染料Ｂを０．８ｇ添加して攪拌して溶解した。その液にあらかじめ溶解したポリビニルアルコール（ＰＶＡ−２１７）６重合％溶液を８５ｇ添加し、５分間ホモジナイザーで攪拌した。その後、酢酸エチルを脱溶媒で揮発させ、最後に水で希釈し、染料分散物を調製した。
【００４８】
【化６】
0003770433.tif 000007
【００４９】
（固体塩基微粒子分散物の調製）
下記固体塩基、２６ｇに対し、ポリビニルアルコール（ＰＶＡ−２１５）２ｇ水溶液を２３４ｇ添加して良く攪拌してスラリーとして１０時間放置した。その後、経基金直径０．５ｍｍのジルコニア製ビーズを１００ｍｌ用意し、スラリーと一緒にベッセルに入れ、分散機（１／４Ｇサンドグラインダーミル：アイメックス(株)社製）で５時間分散して固体塩基微粒子分散液を得た。
【００５０】
【化７】
0003770433.tif 000008
【００５１】
（バック面塗布液の調製）
１０％ゼラチン溶液、３８ｇに対し、先に調製した染料分散物２０ｇ、固体塩基微粒子分散物２０ｇ、水３５ｇを添加してバック面塗布液とした。
【００５２】
（バック面保護層塗布液の調製）
イナートゼラチン１０ｇに対し、前記の界面活性剤Ａを０．２６ｇ、界面活性剤Ｂを０．０９ｇ、１，２−（ビスビニルスルホニルアセドアミド）エタン０．３ｇ、シルデックスＨ１２１（洞海化学社製真球シリカ、平均サイズ１２μｍ）０．４ｇ、水６４ｇ添加してバック面保護膜層とした。
【００５３】
（塗布試料の作成）
上記のように調製した乳剤層塗布液に感光層添加染料を１７５μｍポリエチレンテレフタレート支持体上に塗布銀量が２．２ｇ／ｍ2  となるように調節して塗布した後、乳剤塗布層上に乳剤面保護層塗布液をゼラチンの塗布量が１．８ｇ／ｍ2  となるように塗布した。乾燥後、乳剤層と反対の面上にバック面塗布液を染料Ｂの塗布量が５６ｍｇ／ｍ2  となるように塗布し、さらに、バック面塗布層上にバック面保護層塗布液をゼラチンの塗布量が１．８ｇ／ｍ2  となるように塗布し、試料を作成した。
【００５４】
【発明の効果】
以上の説明により明らかなように、本発明による画像形成装置にあっては、レーザビームの波長域で干渉の起りやすい材料上に画像記録するに際し、干渉縞の発生を極力防止し、非視認化することにより、より鮮明な画像データを得ることができる。
【図面の簡単な説明】
【図１】本発明が適用される画像形成装置の概略図である。
【図２】本発明にかかる画像露光部の概略図である。
【図３】記録材料内でのレーザ反射光により生ずる干渉縞の説明図である。
【図４】層内に入光したレーザ光の反射形態を示す説明図である。
【符号の説明】
１０  画像形成装置
１２  記録材料供給部
１６  画像露光部
１８  熱源像部
５０  レーザ光源
λ  波長
Δλ  スペクトル幅
Ａ  記録材料
【図１】
0003770433.tif 000009
【図２】
0003770433.tif 000010
【図３】
0003770433.tif 000011
【図４】
0003770433.tif 000012